(57)【要約】      （修正有）【課題】濾過ユニットの洗浄が行いやすい抽出装置を提供する。【解決手段】抽出装置は、濾過ユニット１３と、濾過ユニット１３の片側に設けられたサポートユニットと、濾過ユニット１３と同じ高さに設けられた噴射ユニット１５と、噴射ユニット１５に設けられた角度調整ユニット１５１と、噴射ユニット１５の片側且つ噴射ユニット１５とつながる加圧装置１６とからなる。これによって、使用者が濾過ユニット１３を洗浄する必要がある時、サポートユニットによって濾過ユニット１３に傾斜が生じた状態にすることができ、また加圧部品を通して水に圧力を加えた後、噴射ユニット１５を通過して濾過ユニット１３に噴出するが、噴射ユニット１５は濾過ユニット１３と同じ高さに設けられるので、濾過ユニット１３の傾斜角度のために濾過ユニット１３に洗浄が行いやすく、且つ噴射ユニット１５には角度調整ユニット１５１を備えているため、噴射ユニット１５が濾過ユニット１３に全方位にわたって洗浄を行うことができる。【選択図】図３
0003212722.tif 000002
【実用新案登録請求の範囲】
【請求項１】
一つの濾過ユニットと、少なくとも一つのサポートユニットと、少なくとも一つの噴射ユニットと、少なくとも一つの角度調整ユニットと、少なくとも一つの加圧装置と、からなる抽出装置であって、
前記サポートユニットは前記濾過ユニットの片側に設けられ、前記濾過ユニットの傾斜角度を調整し、
前記噴射ユニットは前記濾過ユニットと同じ高さに設けられ、
前記角度調整ユニットは前記噴射ユニットに設けられ、
前記加圧装置は前記噴射ユニットの片側に設けられるとともに、前記噴射ユニットに接続されることを特徴とする、抽出装置。
【請求項２】
前記抽出装置は、少なくとも一つのシリンダを備え、前記シリンダの底側に少なくとも一つの開閉可能なカバーが設けられ、且つ前記濾過ユニットは前記カバーに設けられ、また前記サポートユニットは、前記シリンダに設けられた少なくとも一つの圧力シリンダと、前記圧力シリンダに設けられ且つ前記カバーに接続された少なくとも一つのアームと、を備え、前記シリンダに少なくとも一つの第一係止部が設けられ、且つ前記カバーに少なくとも一つの前記第一係止部と対応して合わせる第二係止部が設けられることを特徴とする、請求項１に記載の抽出装置。
【請求項３】
前記噴射ユニット及び前記濾過ユニットの設置角度は鋭角であることを特徴とする、請求項１に記載の抽出装置。
【考案の詳細な説明】
【技術分野】
【０００１】
本考案は、抽出装置の構造に関し、特に濾過ユニットの傾斜角度に沿って全方位にわたって洗浄を行い、濾過ユニットが完全に洗浄できる機能を備えた抽出装置の構造に関する。
【背景技術】
【０００２】
食品加工の分野において、抽出装置は食品原料に含まれる液汁を抽出するのに用いられる装置であり、使用者は食品原料を抽出装置に入れるとともに、抽出装置に水を入れ、水と食品原料を混ぜて撹拌させ、食品原料の液汁を分離させ水と混ぜ合わせ、食品原料の残りかすをフィルターを利用して濾過し、食品原料の液汁を含んだ混合液体を生成する。通常飲料製造において、一般的に抽出工程には相当な時間がかかるため、抽出装置の容積が非常に大きく、同時に大量の食品原料の液汁を含んだ混合液体を抽出する。中華民国特許第Ｍ４８３７４７号の「液体抽出装置」の案によると、食品原料を抽出容器内に入れるとともに、可調整スプリンクラーによって注水し、抽出工程が終わると、抽出後の液体はフィルターを通り残りかすが濾し取られ、食品原料を抽出した抽出液だけが残る。
【先行技術文献】
【特許文献】
【０００３】
【特許文献１】中華民国特許第Ｍ４８３７４７号明細書
【０００４】
上記の液体抽出装置を使用した場合、以下のような問題と解決すべき欠陥が存在する。
【０００５】
図１を参照する。図１は、従来の液体抽出装置の洗浄フィルターの概略図である。可調整スプリンクラー９１はフィルター９２の上方に位置し、フィルター９２を洗浄する必要がある時、可調整スプリンクラー９１は上方からフィルター９２に対して洗浄を行うが、フィルター９２の残りかすは依然としてフィルター９２に引っかかっており、フィルター９２を綺麗に洗浄することができないため、残りかすに細菌が発生し、食品原料から抽出した抽出液が汚染される可能性がある。
【考案の概要】
【考案が解決しようとする課題】
【０００６】
本考案は、サポートユニットに濾過ユニットの傾斜角度を調整させ、濾過ユニットの残りかすが傾斜の角度によって洗浄できるサポートユニット及び濾過ユニットを提供することを主な目的とする。
【０００７】
本考案は、濾過ユニットの傾斜角度に沿って噴射ユニットに濾過ユニットの洗浄を行わせ、且つ角度調整ユニットが噴射ユニットの洗浄角度を調整することができるようにして、濾過ユニットが全方位にわたって洗浄されるようにし、洗浄の死角が発生しないようにできる噴射ユニット及び角度調整ユニットを提供することを二つ目の目的とする。
【０００８】
本考案は、噴射ユニットが噴出する噴射水が加圧装置の加圧を受け、濾過ユニットにおいてさらに高い洗浄効果を生じさせることができる加圧装置及び噴射ユニットを提供することを三つ目の目的とする。
【課題を解決するための手段】
【０００９】
本考案は、上記の目的が実現できる濾過ユニットの構造を提供する。前記濾過ユニットの片側に少なくとも一つのサポートユニットが設けられ、前記濾過ユニットの傾斜角度を調整するのに用いられ、また前記濾過ユニットと同じ高さに少なくとも一つの噴射ユニットが設けられるとともに、前記噴射ユニットに少なくとも一つの角度調整ユニットが設けられ、さらに前記噴射ユニットの片側に前記噴射ユニットと接続された少なくとも一つの加圧装置が設けられ、使用者が濾過ユニットを洗浄したい時、サポートユニットによって濾過ユニットを支えるとともに、濾過ユニットに傾斜がある状態を生じさせ、また噴射ユニットが、加圧装置を通過して加圧した後の水を濾過ユニットに向かって噴射し、加圧した噴射水が濾過ユニットの傾斜方向に沿って洗浄を行えるようにし、残りかすが濾過ユニットに濾過する方向に垂直の噴射水を受けて洗浄されるようにする。
【考案の効果】
【００１０】
上記の方法によって、残りかすが濾過ユニットに引っかかるのを防ぎ、且つ噴射ユニットが噴出する噴射水の角度を角度調整ユニットに調整させ、濾過ユニットが全方位にわたって洗浄されるようにし、洗浄の死角が生じないようにすることで、濾過ユニットを完全に洗浄できるという効果がある。
【図面の簡単な説明】
【００１１】
【図１】従来の液体抽出装置のフィルター洗浄の概略図である。
【図２】本考案の好ましい実施例の立体図である。
【図３】本考案の好ましい実施例のカバーを開いた概略図である。
【図４】本考案の好ましい実施例の作動概略図である。
【図５】本考案の好ましい実施例の実施概略図（一）である。
【図６】本考案の好ましい実施例の実施概略図（二）である。
【図７】本考案の好ましい実施例の実施概略図（三）である。
【図８】本考案の好ましい実施例の実施概略図（四）である。
【考案を実施するための形態】
【００１２】
図２及び図３を参照する。図２及び図３は、本考案の好ましい実施例の立体図及びカバーを開いた概略図である。
【００１３】
図２及び図３から分かるように、本考案による一つの抽出装置１であって、前記抽出装置１は、少なくとも一つのシリンダ１１と、少なくとも一つのカバー１２と、少なくとも一つの濾過ユニット１３と、少なくとも一つの噴射ユニット１５と、少なくとも一つの加圧装置１６と、少なくとも一つのサポートユニット１４と、少なくとも一つの第一係止部１１１と、少なくとも一つの第二係止部１２１と、からなる。前記カバー１２は前記シリンダ１１の底に設けられ、前記濾過ユニット１３は前記カバー１２の上に設けられ、前記噴射ユニット１５は前記濾過ユニット１３と同じ高さに設けられる。前記噴射ユニット１５及び前記濾過ユニット１３の角度は鋭角であり、且つ前記噴射ユニット１５に少なくとも一つの角度調整ユニット１５１を備える。前記加圧装置１６は前記噴射ユニット１５の片側に設けられ前記噴射ユニット１５と接続される。前記サポートユニット１４は前記濾過ユニット１３の片側に設けられ、前記シリンダ１１に設けられた少なくとも一つの圧力シリンダ１４１と、前記圧力シリンダ１４１に設けられ且つ前記カバー１２に接続される少なくとも一つのアーム１４２と、を備える。また、前記第一係止部１１１は前記シリンダ１１に設けられ、前記第二係止部１２１は前記カバー１２に設けられた前記第一係止部１１１と対応して合わせられる。
【００１４】
同時に図２から図８を参照する。図２から図８は本考案の好ましい実施例の立体図から実施概略図（四）までを示す図である。図から分かるように、使用者は食品原料を抽出装置１に入れるとともに、水を抽出装置１に入れ、食物原料の液汁が分離した後、水と混ぜ合わせるとともに、濾過ユニット１３によって抽出した食品の残りかすを濾過する。前記濾過ユニット１３のフィルターは、食品原料の抽出液を抽出し、また、濾過ユニット１３を通過する抽出工程の後、濾過ユニット１３のフィルターの表面には残りかすが付着する。使用者は、第一係止部１１１及び第二係止部１２１を分離し、シリンダ１１の上にあるカバー１２を開けるとともに、前記カバー１２をサポートユニット１４によって支える。また前記サポートユニット１４は、カバー１２の片側に設けられ、カバー１２が開いた時に傾斜がある状態を生じさせることができる、また使用者は、圧力シリンダ１４１によってアーム１４２を動かすことができ、カバー１２の上方の濾過ユニット１３の傾斜角度を調整することによって、噴射ユニット１５が加圧装置１６を通過して加圧した後の水が噴出されて高圧の噴射水が形成される。本実施例の噴射ユニット１５をノズルとし、また加圧装置１６をポンプとして例を挙げると、前記噴射ユニット１５は濾過ユニット１３の片側の噴射水によって濾過ユニット１３を洗浄する。また前記噴射ユニット１５及び前記濾過ユニット１３の設置角度は鋭角であり、濾過ユニット１３の残りかすが濾過ユニット１３から洗い流され、濾過ユニット１３に引っかからないようにすることができる。さらに噴射ユニット１５は角度調整ユニット１５１を備え、噴射ユニット１５を上下左右に動かすことができ、さらに噴射ユニット１５が噴出する噴射水の角度を調整し、噴射ユニット１５が濾過ユニット１３を各角度で洗浄できるようにし、洗浄の死角が生じないようにすることができる。
【符号の説明】
【００１５】
１      抽出装置
１１    シリンダ
１１１  第一係止部
１２    カバー
１２１  第二係止部
１３    濾過ユニット
１４    サポートユニット
１４１  圧力シリンダ
１４２  アーム
１５    噴射ユニット
１５１  角度調整ユニット
１６    加圧装置
９１    可調整スプリンクラー
９２    フィルター
【図１】
0003212722.tif 000003
【図２】
0003212722.tif 000004
【図３】
0003212722.tif 000005
【図４】
0003212722.tif 000006
【図５】
0003212722.tif 000007
【図６】
0003212722.tif 000008
【図７】
0003212722.tif 000009
【図８】
0003212722.tif 000010